(57)【要約】【課題】日本語の文字入力の操作性を向上することができる移動体通信端末を提供する。【解決手段】母音となり得るＡ以外の第１のアルファベット、母音と組み合わさることにより「か」行から「わ」行に相当する子音となり得る第２のアルファベット及び第１のアルファベットと第２のアルファベットのいずれでもない第３のアルファベットに関する情報の入力が入力検出部１３１によって検出されると、入力文字確定部１３６は、第２のアルファベット、第３のアルファベット及びＡ以外の第１のアルファベットの間で入力文字の候補の選択を行い、キーの長押し後の開放を入力検出部１３１によって検出した時点で表示されていたアルファベットを入力文字として確定する。制御表示部１３７は、入力文字として確定したアルファベット又は当該アルファベットと他のアルファベットとの組合せからなるヘボン式ローマ字表記に対応する平仮名を表示パネルに表示させる。【選択図】図４
2011081545.tif 000002
【特許請求の範囲】
【請求項１】
表示部と、
母音となり得る第１のアルファベットが互いに重ならず、母音と組み合わさることにより「か」行から「わ」行に相当する子音となり得る第２のアルファベットが互いに重ならず、Ｎが前記第１のアルファベットに重ならず、かつ、Ａが前記第２のアルファベットに重ならないように、前記第１のアルファベット、前記第２のアルファベット及び前記第１のアルファベットと前記第２のアルファベットのいずれでもない第３のアルファベットのうちの少なくとも１種類のアルファベットが割り当てられた複数のキーと、
前記キーに割り当てられたアルファベットに関する情報の入力を行う前記キーの第１の操作及び第２の操作を判断する操作判断部と、
Ａ以外の前記第１のアルファベット、前記第２のアルファベット及び前記第３のアルファベットに関する情報の入力が前記キーの前記第１の操作によって行われたことが前記操作判断部によって判断されると、前記第１の操作が行われてから前記第２の操作が行われるまでの時間が第１の値未満である場合には、前記第２のアルファベットを入力文字として確定し、前記第１の操作が行われてから前記第２の操作が行われるまでの時間が前記第１の値と前記第１の値より大きい第２の値との間である場合、前記第３のアルファベットを入力文字として確定し、前記第１の操作が行われてから前記第２の操作が行われるまでの時間が前記第２の値と前記第２の値より大きい第３の値との間である場合、Ａ以外の前記第１のアルファベットを入力文字として確定する入力文字確定部と、
前記入力文字確定部によって確定されたアルファベット又は当該アルファベットと他のアルファベットとの組合せからなるヘボン式ローマ字表記に対応する平仮名を前記表示部に表示させるよう制御する表示制御部と、
を有する移動体通信端末。
【請求項２】
表示部と、
母音となり得る第１のアルファベットが互いに重ならず、母音と組み合わさることにより「か」行から「わ」行に相当する子音となり得る第２のアルファベットが互いに重ならず、Ｎが前記第１のアルファベットに重ならず、かつ、Ａが前記第２のアルファベットに重ならないように、前記第１のアルファベット、前記第２のアルファベット及び前記第１のアルファベットと前記第２のアルファベットのいずれでもない第３のアルファベットのうちの少なくとも１種類のアルファベットが割り当てられた複数のキーと、
前記キーに割り当てられたアルファベットに関する情報の入力を行う前記キーの第１の操作及び第２の操作を判断する操作判断部と、
Ａ又は前記第２のアルファベット、及び前記第３のアルファベットに情報の入力が前記キーの前記第１の操作によって行われたことが前記操作判断部によって判断されると、前記第１の操作が行われてから前記第２の操作が行われるまでの時間が第１の値未満である場合には、Ａ又は前記第２のアルファベットを入力文字として確定し、前記第１の操作が行われてから前記第２の操作が行われるまでの時間が前記第１の値と前記第１の値より大きい第２の値との間である場合、前記第３のアルファベットを入力文字として確定する入力文字確定部と、
前記入力文字確定部によって確定されたアルファベット又は当該アルファベットと他のアルファベットとの組合せからなるヘボン式ローマ字表記に対応する平仮名を前記表示部に表示させるよう制御する表示制御部と、
を有する移動体通信端末。
【請求項３】
前記入力文字確定部は、前記第２又は第３のアルファベットが前記入力文字として確定された後に前記第１のアルファベット及び前記第２又は第３のアルファベットに関する情報の入力が前記キーの前記第１の操作によって行われたことが前記操作判断部によって判断されると、前記第１の操作が行われてから前記第２の操作が行われるまでの時間が第１の値未満である場合には、前記第１のアルファベットを入力文字として確定し、前記第１の操作が行われてから前記第２の操作が行われるまでの時間が前記第１の値と前記第１の値より大きい第２の値との間である場合、前記第２又は第３のアルファベットを入力文字として確定する請求項１又は２に記載の移動体通信端末。
【請求項４】
前記入力文字確定部は、前記第２又は第３のアルファベットが前記入力文字として確定された後に当該第２又は第３のアルファベットと組み合わせてヘボン式ローマ字表記に対応する平仮名を構成する第２又は第３のアルファベット及びそれ以外のアルファベットに関する情報の入力が前記キーの前記第１の操作によって行われたことが前記操作判断部によって判断されると、前記第１の操作が行われてから前記第２の操作が行われるまでの時間が第１の値未満である場合には、前記ヘボン式ローマ字表記に対応する平仮名を構成する第２又は第３のアルファベットを入力文字として確定し、前記第１の操作が行われてから前記第２の操作が行われるまでの時間が前記第１の値と前記第２の値との間である場合、それ以外のアルファベットを入力文字として確定する請求項１から３のうちのいずれか１項に記載の移動体通信端末。
【請求項５】
濁点、半濁点、長音符及び句読点が割り当てられた他のキーを更に有し、
前記操作判断部は、前記他のキーに割り当てられた濁点、半濁点、長音符及び句読点に関する情報の入力を行う前記他のキーの第１の操作及び第２の操作を判断し、
前記入力文字確定部は、濁点又は半濁点を付さない平仮名を表示させた後に濁点、半濁点、長音符及び句読点に関する情報の入力が前記他のキーの前記第１の操作によって行われたことが前記操作判断部によって判断されると、前記第１の操作が行われてから前記第２の操作が行われるまでの時間が第１の値未満である場合には、長音符を入力文字として確定し、前記第１の操作が行われてから前記第２の操作が行われるまでの時間が前記第１の値と前記第１の値より大きい第２の値との間である場合、句読点を入力文字として確定する請求項１から４のうちのいずれか１項に記載の移動体通信端末。
【請求項６】
前記第１の操作が前記キーの押下であり、前記第２の操作が前記キーの押下後の開放である請求項１から５のうちのいずれか１項に記載の移動体通信端末。
【発明の詳細な説明】
【技術分野】
【０００１】
本発明は、限られたダイヤルキーを用いてローマ字入力を行うことにより平仮名を表示させる移動体通信端末に関する。
【背景技術】
【０００２】
携帯電話機やＰＨＳ（Personal Handyphone System）等の移動体通信端末は、通話機能を備えるとともに、電子メール送受信機能や備忘録としてのメモ帳機能をも備える。特に、電子メール送信機能では、アルファベットが割り当てられた各ダイヤルキーを押下することによってローマ字入力を行い、平仮名を表示させることにより日本語の文字入力が行われる。
【０００３】
移動体通信端末においてローマ字入力を行って平仮名を表示させるときの操作の手間を抑制するために、「か」行から「わ」行の訓令式ローマ字表記に相当するキーの押下を検出した場合に、当該押下に関連付けられた平仮名を表示部に表示させる移動体携帯端末が提案されている（例えば、特許文献１）。
【先行技術文献】
【特許文献】
【０００４】
【特許文献１】特開２００８−２７６４１６号公報
【発明の概要】
【発明が解決しようとする課題】
【０００５】
しかしながら、上述した従来の移動体携帯端末は、訓令式ローマ字入力のみに対応している。すなわち、日本語の文字入力を行うために、母音となり得るアルファベット「Ａ、Ｉ、Ｕ、Ｅ又はＯ」及び母音と組み合わさることにより「か」行から「わ」行に相当する子音となり得るアルファベット「Ｋ、Ｓ、Ｔ、Ｎ、Ｈ、Ｍ、Ｙ、Ｒ又はＷ」のみが使用され、それ以外のアルファベットは使用されない。その結果、従来の移動体携帯端末では、拗音や促音を入力するためのモード切替を行い又は濁点や半濁点を付すために別個のキーを押下する必要がある。このように別個のキーを押下することは、日本語の文字入力の操作性の向上の妨げとなっている。したがって、日本語の文字入力の操作性を向上するためには、別個のキーを押下することなく拗音、促音、濁点又は半濁点を入力できるようにするのが好ましい。
【０００６】
本発明の目的は、日本語の文字入力の操作性を向上することができる移動体通信端末を提供することである。
【課題を解決するための手段】
【０００７】
本発明による移動体通信端末は、表示部と、母音となり得る第１のアルファベットが互いに重ならず、母音と組み合わさることにより「か」行から「わ」行に相当する子音となり得る第２のアルファベットが互いに重ならず、Ｎが第１のアルファベットに重ならず、かつ、Ａが第２のアルファベットに重ならないように、第１のアルファベット、第２のアルファベット及び第１のアルファベットと前記第２のアルファベットのいずれでもない第３のアルファベットのうちの少なくとも１種類のアルファベットが割り当てられた複数のキーと、キーに割り当てられたアルファベットに関する情報の入力を行うキーの第１の操作及び第２の操作を判断する操作判断部と、Ａ以外の前記第１のアルファベット、第２のアルファベット及び第３のアルファベットに関する情報の入力が第１の操作によって行われたことが操作判断部によって判断されると、第１の操作が行われてから第２の操作が行われるまでの時間が第１の値未満である場合には、第２のアルファベットを入力文字として確定し、第１の操作が行われてから第２の操作が行われるまでの時間が第１の値と第１の値より大きい第２の値との間である場合、第３のアルファベットを入力文字として確定し、第１の操作が行われてから第２の操作が行われるまでの時間が第２の値と第２の値より大きい第３の値との間である場合、Ａ以外の第１のアルファベットを入力文字として確定する入力文字確定部と、入力文字確定部によって確定されたアルファベット又は当該アルファベットと他のアルファベットとの組合せからなるヘボン式ローマ字表記に対応する平仮名を前記表示部に表示させるよう制御する表示制御部と、を有する。
【０００８】
また、本発明による移動体通信端末は、表示部と、母音となり得る第１のアルファベットが互いに重ならず、母音と組み合わさることにより「か」行から「わ」行に相当する子音となり得る第２のアルファベットが互いに重ならず、Ｎが第１のアルファベットに重ならず、かつ、Ａが第２のアルファベットに重ならないように、第１のアルファベット、第２のアルファベット及び第１のアルファベットと第２のアルファベットのいずれでもない第３のアルファベットのうちの少なくとも１種類のアルファベットが割り当てられた複数のキーと、キーに割り当てられたアルファベットに関する情報の入力を行うキーの第１の操作及び第２の操作を判断する操作判断部と、Ａ又は第２のアルファベット、及び第３のアルファベットに情報の入力が第１の操作によって行われたことが操作判断部によって判断されると、第１の操作が行われてから第２の操作が行われるまでの時間が第１の値未満である場合には、Ａ又は第２のアルファベットを入力文字として確定し、第１の操作が行われてから第２の操作が行われるまでの時間が第１の値と第１の値より大きい第２の値である場合、第３のアルファベットを入力文字として確定する入力文字確定部と、入力文字確定部によって確定されたアルファベット又は当該アルファベットと他のアルファベットとの組合せからなるヘボン式ローマ字表記に対応する平仮名を前記表示部に表示させるよう制御する表示制御部と、を有する。
【０００９】
本発明による移動体通信端末によれば、入力文字確定部は、第２又は第３のアルファベットが入力文字として確定された後に第１のアルファベット及び第２又は第３のアルファベットに関する情報の入力が第１の操作によって行われたことが操作判断部によって判断されると、第１の操作が行われてから第２の操作が行われるまでの時間が第１の値未満である場合には、第１のアルファベットを入力文字として確定し、第１の操作が行われてから第２の操作が行われるまでの時間が第１の値と第１の値より大きい第２の値との間である場合、第２又は第３のアルファベットを入力文字として確定するのが好ましい。
【００１０】
本発明による移動体通信端末によれば、入力文字確定部は、第２又は第３のアルファベットが入力文字として確定された後に当該第２又は第３のアルファベットと組み合わせてヘボン式ローマ字表記に対応する平仮名を構成する第２又は第３のアルファベット及びそれ以外のアルファベットに関する情報の入力が第１の操作によって行われたことが操作判断部によって判断されると、第１の操作が行われてから前記第２の操作が行われるまでの時間が第１の値未満である場合には、ヘボン式ローマ字表記に対応する平仮名を構成する第２又は第３のアルファベットを入力文字として確定し、第１の操作が行われてから第２の操作が行われるまでの時間が第１の値と第１の値より大きい第２の値との間である場合、それ以外のアルファベットを入力文字として確定するのが好ましい。
【００１１】
本発明による移動体通信端末によれば、濁点、半濁点、長音符及び句読点が割り当てられた他のキーを更に有し、操作判断部は、他のキーに割り当てられた濁点、半濁点、長音符及び句読点に関する情報の入力を行う他のキーの第１の操作を判断し、入力文字確定部は、濁点又は半濁点を付さない平仮名を表示させた後に濁点、半濁点、長音符及び句読点に関する情報の入力が他のキーの第１の操作及び第２の操作によって行われたことが操作判断部によって判断されると、第１の操作が行われてから第２の操作が行われるまでの時間が第１の値未満である場合には、長音符を入力文字として確定し、第１の操作が行われてから第２の操作が行われるまでの時間が第１の値と第１の値より大きい第２の値との間である場合、句読点を入力文字として確定するのが好ましい。
【００１２】
本発明による移動体通信端末によれば、第１の操作がキーの長押しであり、第２の操作が前記キーの押下後の開放であるのが好ましい。
【発明の効果】
【００１３】
本発明によれば、移動体通信端末における日本語の文字入力の操作性を向上することができる。
【図面の簡単な説明】
【００１４】
【図１】携帯電話機の構成図である。
【図２】ダイヤルキーの拡大図である。
【図３】制御装置のハードウェア構成を示すブロック図である。
【図４】制御装置の要部構成を示す機能ブロック図である。
【図５】ダイヤルキーとアルファベットとの関連付けを示すテーブルである。
【図６】ヘボン式ローマ字表記におけるアルファベットと平仮名との関連付けを示す表である。
【図７】制御装置の動作の一例を示すフローチャートである。
【図８】制御装置の動作の変形例を示すフローチャートである。
【図９】制御装置の動作の変形例を示すフローチャートである。
【図１０】制御装置の動作の変形例を示すフローチャートである。
【図１１】制御装置の動作の変形例を示すフローチャートである。
【図１２】本発明による移動体通信端末及び従来の移動体通信端末における押下されたダイヤルキーと表示パネルでの表示例を示す図である。
【発明を実施するための形態】
【００１５】
以下、本発明の第１実施形態について、図面を参照して具体的に説明する。
図１は、携帯電話機１００の構成図であり、図２は、ダイヤルキー１１０の拡大図であり、図３は、携帯電話機１００の制御装置１３０のハードウェア構成を示すブロック図である。
携帯電話機１００は、本発明の移動体通信端末の一例であり、図１に示すように、ダイヤルキー１１０、発信キー１１１、送信キー１１２、変換キー１１３、確定キー１１４、表示パネル１２０、携帯電話機１００の内部に形成される図示しない制御装置１３０等から構成される。
【００１６】
ダイヤルキー１１０は、図２に示すように、「０」〜「９」の各数字と、「＊」及び「＃」の記号とが重ならずに配置された１２個のキーで構成される。
【００１７】
数字が配置されたそれぞれのキーには、母音となり得る第１のアルファベット「Ａ、Ｉ、Ｕ、Ｅ又はＯ」が互いに重ならず、母音と組み合わさることにより「か」行から「わ」行に相当する子音となり得る第２のアルファベット「Ｋ、Ｓ、Ｔ、Ｎ、Ｈ、Ｍ、Ｙ、Ｒ又はＷ」が互いに重ならず、Ｎが第１のアルファベットに重ならず、かつ、Ａが第２のアルファベットに重ならないように、第１のアルファベット、第２のアルファベット及び第１のアルファベットと第２のアルファベットのいずれでもない第３のアルファベット「Ｂ、Ｃ、Ｄ、Ｆ、Ｇ、Ｊ、Ｌ、Ｐ、Ｑ、Ｖ、Ｘ又はＺ」のうちの少なくとも１種類のアルファベットが割り当てられている。
【００１８】
例えば、図２においては、「１」が割り当てられたキーに対して、「Ａ、Ｂ、Ｃ、Ｄ」が割り当てられ、「２」が割り当てられたキーに対して、「Ｅ、Ｆ、Ｇ、Ｈ」が割り当てられる。以下、「３」〜「９」及び「０」が割り当てられたキーに対しても図２に示すアルファベットが割り当てられる。
【００１９】
さらに、記号「＊」が割り当てられたキーには、アルファベットが割り当てられず、拗音や促音を入力するときのモードの切替のためのキーであることを示すために「小文字」が割り当てられる。記号「＃」が割り当てられたキーには、アルファベットが割り当てられず、それぞれ濁点、半濁点、長音符、読点及び句点に相当する「゛゜ー、。」が配置される。
【００２０】
したがって、携帯電話機１００を利用する利用者が電話をかけたり、電子メールを利用したりする際には、上述したこれらのダイヤルキー１１０を適宜押下して、電話番号を入力したり、文字等を入力したりする。そして、図１に示す発信キー１１１や、送信キー１１２が押下されることにより、携帯電話機１００は、入力された電話番号の通話先に電話をかけたり、電子メールの宛先に入力された文字等を送信したりする。
【００２１】
表示パネル１２０は、例えば液晶ディスプレイや有機ＥＬ（Electro Luminescence）ディスプレイ等で構成される。上述したダイヤルキー１１０が利用者によって押下されると、表示パネル１２０は、当該押下に応じた文字、数字、記号等を表示する。
【００２２】
制御装置１３０は、図２に示すように、ＣＰＵ１３０ａ、ＳＲＡＭ(Static Random Access Memory)、ＤＲＡＭ(Dynamic RAM)やＳＤＲＡＭ（Synchronous DRAM）等のＲＡＭ１３０ｂ、フラッシュメモリ等のＲＯＭ(Read Only Memory)１３０ｃ、ダイヤルキー１１０や表示パネル１２０等の外部装置との入出力を行うＩ／Ｆ（インタフェース）１３０ｄがバス１３０ｅにより接続されたコンピュータにより実現される。
【００２３】
したがって、ＣＰＵ１３０ａがＲＯＭ１３０ｃに格納された所要のプログラムを読み込み、当該プログラムに従った演算を行うことにより、携帯電話機１００内の各機能が実現される。
【００２４】
ここで、制御装置１３０について図４〜６を参照してさらに詳しく説明する。
図４は、制御装置１３０の要部構成を示す機能ブロック図であり、図５は、ダイヤルキー１１０とアルファベットとの関連付けを示す表であり、図６は、ヘボン式ローマ字表記におけるアルファベットの組合せと平仮名との関連付けを示す表である。
制御装置１３０は、図４に示すように、操作判断部１３１、かな変換部１３２、変換テーブル記憶部１３３、漢字変換部１３４、日本語辞書記憶部１３５、入力文字確定部１３６、表示制御部１３７等から構成される。
【００２５】
操作判断部１３１は、ダイヤルキー１１０の第１の操作としての押下及び第２の操作としての開放を判断して、判断結果をかな変換部１３２、漢字変換部１３４及び入力文字確定部１３６に送信する。例えば、利用者がダイヤルキー１１０の１つである「２」の押下及び開放を判断した場合には、「２」が押下及び開放された旨の情報をかな変換部１３２及び入力文字確定部１３６に送信する。また、変換キー１１３や確定キー１１４の押下及び開放を検出した場合には、その旨の情報を漢字変換部１３４に送信する。
【００２６】
かな変換部１３２は、操作判断部１３１からの判断結果に基づいて入力文字確定部１３６で確定した入力文字に応じて、入力文字に応じた平仮名を変換テーブル記憶部１３３から抽出して表示制御部１３６に送信する。変換テーブル記憶部１３３は、図５及び６に示すように、ダイヤルキー１１０とアルファベットとの関連付けを示す表、及び、ヘボン式ローマ字表記におけるアルファベットの組合せと平仮名との関連付けを示す表を記憶する。なお、図５に示すアルファベットのうち、矩形で囲まれるアルファベットは、平仮名のうち、母音となり得るものを示しており、円で囲まれるアルファベットは、母音と組み合わさることにより「か」行から「わ」行に相当する子音となり得るものを示している。そして、このような矩形や円で囲まれたアルファベット以外のアルファベットは、矩形で囲まれるアルファベット及び／又は円で囲まれるアルファベットと組み合わさることにより拗音や促音となり得る。
【００２７】
したがって、かな変換部１３２は、例えば、操作判断部１３１からダイヤルキー１１０が押下及び開放された旨の情報を受信した場合には、まず、当該情報をバッファ等に保持し、既に保持している情報があるか否かを判断する。既に保持している情報がある場合、かな変換部１３２は、図６に示す表から、これに関連付けられた平仮名に関する情報を入力文字確定部１３６及び表示制御部１３７に送信する。平仮名として成立した場合には、バッファに保持する情報を適宜消去するようにしてもよい。
【００２８】
一方、このような母音や子音を保持していない場合には、かな変換部１３２は、操作判断部１３１からダイヤルキー１１０が押下及び開放された旨の情報を保持するとともに、入力文字確定部１３６及び表示制御部１３７に当該情報を送信する。そして、母音に相当する文字の情報を受信するまで待機する。
【００２９】
漢字変換部１３４は、操作判断部１３１からの判断結果に基づいて入力文字確定部１３６で確定した入力文字に応じて、表示パネル１２０に表示される平仮名に相当する一又は複数の漢字に関する情報を日本語辞書記憶部１３５から抽出して入力文字確定部１３６及び表示制御部１３７に送信する。尚、日本語辞書記憶部１３５には、予め平仮名に相当する複数の漢字が記憶されている。
【００３０】
入力文字確定部１３６は、操作判断部１３１、かな変換部１３２及び漢字変換部１３４から送信される情報に応じて、アルファベット、長音符、句読点、濁点又は半濁点を入力文字として確定する。表示制御部１３７は、入力文字確定部１３６で確定された入力文字に応じて、対応するアルファベット、平仮名又は漢字を表示パネル１２０に表示する。これにより、利用者はダイヤルキー１１０の押下に従って入力された文字を表示パネル１２０から見ることができる。
【００３１】
次に、制御装置１３０の動作について図７〜１１を参照して説明する。
図７は、制御装置１３０の動作の一例を示すフローチャートである。
図７に示すフローチャートは、操作判断部１３１からダイヤルキー１１０が押下及び開放された旨の情報がバッファ等に保持されていない状態で実行されるが、図７に示すフローチャートを、当該情報がバッファ等に保持されている状態で実行することもできる。
【００３２】
先ず、操作判断部１３１は、Ａ以外の第１のアルファベット、第２のアルファベット及び他のアルファベットと組み合わさることにより拗音や促音となり得る第３のアルファベットに関する情報の入力を検出したか否か判断する（ステップＳ１）。
【００３３】
図２に示すようにアルファベットがダイヤルキー１１０に割り当てられている場合、操作判断部１３１は、ステップＳ１において「２」「３」「６」「８」のいずれかのキーの押下があったか否かを判断する。
【００３４】
Ａ以外の第１のアルファベット、第２のアルファベット及び第３のアルファベットに関する情報の入力を検出しないと判断した場合、処理フローを終了する。それに対し、Ａ以外の第１のアルファベット、第２のアルファベット及び第３のアルファベットに関する情報の入力を検出したと判断した場合、操作判断部１３１は、当該情報の入力を検出した旨を入力文字確定部１３６に報告し、入力文字確定部１３６は、操作判断部１３１からの報告に応じて、第２のアルファベットを入力文字の候補として選択する（ステップＳ２）。例えば、「２」のキーが押下された場合には、「Ｈ」を入力文字の候補として選択し、「３」のキーが押下された場合には、「Ｋ」を入力文字の候補として選択する。
【００３５】
次に、操作判断部１３１は、押下されたキーが開放されたか否かを判断する（ステップＳ３）。押下されたキーが開放されたと判断された場合、操作判断部１３１は、押下されたキーが開放された旨を入力文字確定部１３６に報告する。入力文字確定部１３６は、操作判断部１３１からの報告に応じて、押下されたキーが開放された時点で選択されていたアルファベットを入力文字として確定し、表示制御部１３７は、入力文字として確定したアルファベット又は当該アルファベットと他のアルファベットとの組合せからなるヘボン式ローマ字表記に対応する平仮名を表示パネル１２０に表示させ（ステップＳ４）、処理フローを終了する。
【００３６】
それに対し、押下されたキーが開放されていないと判断された場合、入力文字確定部１３６は、キーが押下されてから一定時間経過したか否かを判断する（ステップＳ５）。一定時間経過していないと判断された場合、ステップＳ３に戻る。それに対し、一定時間経過していると判断された場合、入力も字確定部１３６は、入力文字の候補の選択の切替を行い（ステップＳ６）、ステップＳ３に戻る。すなわち、ステップＳ３〜Ｓ６では、入力文字確定部１３６は、キーの押下から開放までの時間が第１の値未満である場合には、第２のアルファベットを入力文字として確定し、キーの押下から開放までの時間が第１の値と第１の値より大きい第２の値との間である場合、第３のアルファベットを入力文字として確定し、キーの押下から開放までの時間が第２の値と第２の値より大きい第３の値との間である場合、Ａ以外の第１のアルファベットを入力文字として確定する。
【００３７】
例えば、「２」のキーが押下された場合には、「Ｈ」、「Ｆ」、「Ｇ」、「Ｅ」の順に入力文字の候補の選択を繰り返すことができ、「３」のキーが押下された場合には、「Ｋ」、「Ｊ」、「Ｉ」の順に入力文字の候補の選択を繰り返すことができる。
【００３８】
図７のフローチャートにおいて、アルファベットが割り当てられた「２」「３」「６」「８」のキーの短押しがあったことが入力文字確定部１３６によって判断されると、ステップＳ２，Ｓ３，Ｓ４と進んだ後に処理フローを終了し、当該キーの長押しがあったことが入力文字確定部１３６によって判断されると、ステップＳ３，Ｓ５，Ｓ６と進んだ後にステップＳ３に戻る。キーの長押しと短押しを区別する方法としては、例えば、キーが押下されている間にロー信号をキーから操作判断部１３１に出力し、キーが押下されていない間にハイ信号をキーから操作判断部１３１に出力するハードウェア構造を採用し、ロー信号が出力されている期間をタイマ等によって計測し、当該期間が一定時間経過するまでは「短押し」である旨を操作判断部１３１から入力文字確定部１３６に報告し、当該期間が一定時間経過した場合には「長押し」である旨を操作判断部１３１から入力文字確定部１３６に報告する方法がある。
【００３９】
図７に示すフローチャートによれば、キーを押下している間に第２のアルファベット、第３のアルファベット及びＡ以外の第１のアルファベットの間で入力文字の候補の選択を行い、押下されたキーが開放された時点で選択されていたアルファベットを入力文字として確定し、入力文字として確定したアルファベット又は当該アルファベットと他のアルファベットとの組合せからなるヘボン式ローマ字表記に対応する平仮名を表示パネル１２０に表示させている。
【００４０】
このように第２のアルファベット、第３のアルファベット及びＡ以外の第１のアルファベットの間で入力文字の候補の一意的な選択を行うことによって、アルファベット又は当該アルファベットと他のアルファベットとの組合せからなるヘボン式ローマ字表記に対応する平仮名の入力を簡単に行うことができる。
【００４１】
また、このようなヘボン式ローマ字表記に対応する平仮名の入力を行うことによって、拗音や促音を入力し又は濁点や半濁点を付すために別個のキーを押下する必要がなくなり、移動体通信端末における日本語の文字入力の操作性を向上することができる。
【００４２】
図８は、制御装置１３０の動作の変形例を示すフローチャートである。
図８に示すフローチャートは、操作判断部１３１からダイヤルキー１１０が押下及び開放された旨の情報がバッファ等に保持されていない状態で実行されるが、図８に示すフローチャートを、当該情報がバッファ等に保持されている状態で実行することもできる。
【００４３】
先ず、操作判断部１３１は、Ａ又は第２のアルファベット及び第３のアルファベットに関する情報の入力を検出したか否か判断する（ステップＳ１１）。図２に示すようにアルファベットがダイヤルキー１１０に割り当てられている場合、操作判断部１３１は、ステップＳ１１において「１」「４」「９」「０」のいずれかのキーの押下があったか否かを判断する。
【００４４】
Ａ又は第２のアルファベット及び第３のアルファベットに関する情報の入力を検出しないと判断した場合、処理フローを終了する。それに対し、Ａ又は第２のアルファベット及び第３のアルファベットに関する情報の入力を検出したと判断した場合、操作判断部１３１は、当該情報の入力を検出した旨を入力文字確定部１３６に報告し、入力文字確定部１３６は、操作判断部１３１からの報告に応じて、Ａ又は第２のアルファベットを入力文字の候補として選択する（ステップＳ１２）。例えば、「１」のキーが押下された場合には、「Ａ」を入力文字の候補として選択し、「４」のキーが押下された場合には、「Ｍ」を入力文字の候補として選択する。
【００４５】
次に、操作判断部１３１は、押下されたキーが開放されたか否かを判断する（ステップＳ１３）。押下されたキーが開放されたと判断された場合、操作判断部１３１は、押下されたキーが開放された旨を入力文字確定部１３６に報告する。入力文字確定部１３６は、操作判断部１３１からの報告に応じて、押下されたキーが開放された時点で選択されていたアルファベットを入力文字として確定し、表示制御部１３７は、入力文字として確定したアルファベット又は当該アルファベットと他のアルファベットとの組合せからなるヘボン式ローマ字表記に対応する平仮名を表示パネル１２０に表示させ（ステップＳ１４）、処理フローを終了する。
【００４６】
それに対し、押下されたキーが開放されていないと判断された場合、入力文字確定部１３６は、キーが押下されてから一定時間経過したか否かを判断する（ステップＳ１５）。一定時間経過していないと判断された場合、ステップＳ１３に戻る。それに対し、一定時間経過したと判断された場合、入力文字確定部１３６は、入力文字の候補の選択の切替を行い（ステップＳ１６）、ステップＳ１３に戻る。すなわち、ステップＳ１３〜Ｓ１６では、入力文字確定部１３６は、キーの押下から開放までの時間が第１の値未満である場合には、Ａ又は第２のアルファベットを入力文字として確定し、キーの押下から開放までの時間が第１の値と第１の値より大きい第２の値との間である場合、第３のアルファベットを入力文字として確定する。
【００４７】
例えば、「１」のキーが押下された場合には、「Ａ」、「Ｂ」、「Ｃ」、「Ｄ」の順に入力文字の候補の選択を繰り返すことができ、「４」のキーが押下された場合には、「Ｌ」、「Ｍ」の順に入力文字の候補の選択を繰り返すことができる。
【００４８】
図８に示すフローチャートによれば、キーを押下している間にＡ又は第２のアルファベット及び第３のアルファベットの間で入力文字の候補の選択を行い、押下されたキーが開放された時点で選択されていたアルファベットを入力文字として確定し、入力文字として確定したアルファベット又は当該アルファベットと他のアルファベットとの組合せからなるヘボン式ローマ字表記に対応する平仮名を表示パネル１２０に表示させている。このようにＡ又は第２のアルファベット及び第３のアルファベットの間で入力文字の候補の一意的な選択を行うことによって、アルファベット又は当該アルファベットと他のアルファベットとの組合せからなるヘボン式ローマ字表記に対応する平仮名の入力を簡単に行うことができる。
【００４９】
また、このようなヘボン式ローマ字表記に対応する平仮名の入力を行うことによって、拗音や促音を入力し又は濁点や半濁点を付すために別個のキーを押下する必要がなくなり、移動体通信端末における日本語の文字入力の操作性を向上することができる。
【００５０】
図９は、制御装置１３０の動作の変形例を示すフローチャートである。
先ず、入力文字確定部１３６は、第２又は第３のアルファベットが既に入力文字として確定されているか否かを、バッファ等に保持された情報を参照することによって判断する（ステップＳ２１）。第２又は第３のアルファベットがまだ入力文字として確定されていない場合には、処理フローを終了する。それに対し、第２又は第３のアルファベットが入力文字として既に確定されている場合、操作判断部１３１は、第１のアルファベット及び第２又は第３のアルファベットに関する情報の入力を検出したか否か判断する（ステップＳ２２）。図２に示すようにアルファベットがダイヤルキー１１０に割り当てられている場合、操作判断部１３１は、ステップＳ２２において「２」「３」「６」「８」のいずれかのキーの押下があったか否かを判断する。
【００５１】
第１のアルファベット及び第２又は第３のアルファベットに関する情報の入力を検出しないと判断した場合、処理フローを終了する。それに対し、第１のアルファベット及び第２又は第３のアルファベットに関する情報の入力を検出したと判断した場合、操作判断部１３１は、当該情報の入力を検出した旨を入力文字確定部１３６に報告し、入力文字確定部１３６は、操作判断部１３１からの報告に応じて、第１のアルファベットを入力文字の候補として選択する（ステップＳ２３）。この場合、入力文字確定部１３６は、既に確定されている第２又は第３のアルファベットと第１のアルファベットとの組合せからなるヘボン式ローマ字表記に対応する平仮名を構成する可能性が高いと判断する。例えば、「Ｋ」が既に入力文字として確定されている状態で「８」のキーが押下された場合、表示制御部１３６は、「Ｋ」と「Ｕ」とを組み合わせて「く」を構成する可能性が高いと判断し、入力文字の候補として「Ｕ」を「Ｔ」「Ｖ」よりも優先して選択する。
【００５２】
次に、操作判断部１３１は、押下されたキーが開放されたか否かを判断する（ステップＳ２４）。押下されたキーが開放されたと判断された場合、操作判断部１３１は、押下されたキーが開放された旨を入力文字確定部１３６に報告する。入力文字確定部１３６は、操作判断部１３１からの報告に応じて、押下されたキーが開放された時点で選択されていたアルファベットを入力文字として確定し、表示制御部１３７は、入力文字として確定したアルファベット又は当該アルファベットと他のアルファベットとの組合せからなるヘボン式ローマ字表記に対応する平仮名を表示パネル１２０に表示させ（ステップＳ２５）、処理フローを終了する。
【００５３】
それに対し、押下されたキーが開放されていないと判断された場合、入力文字確定部１３６は、キーが押下されてから一定時間経過したか否かを判断する（ステップＳ２６）。一定時間経過していないと判断された場合、ステップＳ２４に戻る。それに対し、一定時間経過したと判断された場合、入力文字確定部１３６は、入力文字の候補の選択の切替を行い（ステップＳ２７）、ステップＳ２４に戻る。すなわち、ステップＳ２４〜Ｓ２７では、入力文字確定部１３６は、キーの押下から開放までの時間が第１の値未満である場合には、第１のアルファベットを入力文字として確定し、キーの押下から開放までの時間が第１の値と第１の値より大きい第２の値との間である場合、第２又は第３のアルファベットを入力文字として確定する。例えば、「８」のキーが押下された場合には、「Ｕ」、「Ｔ」又は「Ｖ」の順に入力文字の選択を繰り返すことができる。
【００５４】
図９に示すフローチャートによれば、第２又は第３のアルファベットが入力文字として確定された後に第１のアルファベット及び第２又は第３のアルファベットに関する情報の入力が操作判断部１３１によって検出されると、キーを押下している間に第１のアルファベット及び第２又は第３のアルファベットの間で入力文字の候補の選択を行い、押下されたキーが開放された時点で選択されていたアルファベットを入力文字として確定している。このように第１のアルファベット及び第２又は第３のアルファベットの間で入力文字の候補の一意的な選択を行うことによって、ヘボン式ローマ字表記に対応する平仮名の入力が簡単になり、移動体通信端末における日本語の文字入力の操作性を向上することができる。
【００５５】
図１０は、制御装置１３０の動作の変形例を示すフローチャートである。
先ず、入力文字確定部１３６は、第２又は第３のアルファベットが既に入力文字として確定されているか否かを、バッファ等に保持された情報を参照することによって判断する（ステップＳ３１）。第２又は第３のアルファベットがまだ入力文字として確定されていない場合には、処理フローを終了する。それに対し、第２又は第３のアルファベットが入力文字として既に確定されている場合、操作判断部１３１は、当該第２又は第３のアルファベットと組み合わせてヘボン式ローマ字表記に対応する平仮名を構成するアルファベット及びそれ以外のアルファベットに関する情報の入力を検出したか否か判断する（ステップＳ３２）。
【００５６】
ヘボン式ローマ字表記に対応する平仮名を構成するアルファベット及びそれ以外のアルファベットに関する情報の入力を検出しないと判断した場合、処理フローを終了する。それに対し、ヘボン式ローマ字表記に対応する平仮名を構成するアルファベット及びそれ以外のアルファベットに関する情報の入力を検出したと判断した場合、操作判断部１３１は、当該情報の入力を検出した旨を入力文字確定部１３６に報告し、入力文字確定部１３６は、操作判断部１３１からの報告に応じて、ヘボン式ローマ字表記に対応する平仮名を構成するアルファベットを入力文字の候補として選択する（ステップＳ３３）。この場合、入力文字確定部１３６は、当該アルファベットとヘボン式ローマ字表記に対応する平仮名を構成する可能性が高いと判断する。例えば、「Ｃ」が既に入力文字として確定されている状態で「Ｙ」「Ｅ」「Ｚ」が割り当てられたキーが押下された場合、入力文字部１３６は、「Ｃ」と「Ｙ」とを用いて「ちゃ」を構成する可能性が高いと判断し、入力文字の候補として「Ｙ」を「Ｅ」「Ｚ」よりも優先して選択する。
【００５７】
次に、操作判断部１３１は、押下されたキーが開放されたか否かを判断する（ステップＳ３４）。押下されたキーが開放されたと判断された場合、操作判断部１３１は、押下されたキーが開放された旨を入力文字確定部１３６に報告する。入力文字確定部１３６は、操作判断部１３１からの報告に応じて、押下されたキーが開放された時点で選択されていたアルファベットを入力文字として確定し、表示制御部１３７は、入力文字として確定したアルファベット又は当該アルファベットと他のアルファベットとの組合せからなるヘボン式ローマ字表記に対応する平仮名を表示パネル１２０に表示させ（ステップＳ３５）、処理フローを終了する。
【００５８】
それに対し、押下されたキーが開放されていないと判断された場合、入力文字確定部１３６は、キーが押下されてから一定時間経過したか否かを判断する（ステップＳ３６）。一定時間経過していないと判断された場合、ステップＳ３４に戻る。それに対し、一定時間経過したと判断された場合、入力文字確定部１３６は、入力文字の候補の選択の切替を行い（ステップＳ３７）、ステップＳ３４に戻る。すなわち、ステップＳ３４〜Ｓ３７では、入力文字確定部１３６は、キーの押下から開放までの時間が第１の値未満である場合には、ヘボン式ローマ字表記に対応する平仮名を構成するアルファベットを入力文字として確定し、キーの押下から開放までの時間が第１の値と第１の値より大きい第２の値との間である場合、それ以外のアルファベットを入力文字として確定する。
【００５９】
図１０に示すフローチャートによれば、第２又は第３のアルファベットが入力文字として確定された後に当該第２又は第３のアルファベットと組み合わせてヘボン式ローマ字表記に対応する平仮名を構成するアルファベット及びそれ以外のアルファベットに関する情報の入力が操作判断部１３１によって検出されると、キーを押下している間にヘボン式ローマ字表記に対応する平仮名を構成するアルファベット及びそれ以外のアルファベットの間で入力文字の候補の選択を行い、押下されたキーが開放された時点で選択されていたアルファベットを入力文字として確定している。このようにヘボン式ローマ字表記に対応する平仮名を構成するアルファベット及びそれ以外のアルファベットの間で入力文字の候補の一意的な選択を行うことによって、ヘボン式ローマ字表記に対応する平仮名の入力が簡単になり、移動体通信端末における日本語の文字入力の操作性を向上することができる。
【００６０】
なお、図７〜１０に示すフローチャートにおいてキーの長押しを行うことによって、モードの切替を行うことなくヘボン式ローマ字表記に対応する平仮名の入力と英文字直接入力の両方を行うことができる。モードの切替を行うことなくヘボン式ローマ字表記に対応する平仮名の入力と英文字直接入力の両方を行うために、例えば、「Ａ」を入力文字として確定した後に操作判断部１３１がダイヤルキー１１０の「８」の長押しを検出すると、表示制御部１３６は、「う」、「ＡＴ」、「ＡＶ」、「ＡＵ」の順に表示パネル１２０に表示させるよう制御する。
【００６１】
図１１は、制御装置１３０の動作の変形例を示すフローチャートである。
先ず、入力文字確定部１３６は、濁点又は半濁点を付さない平仮名が表示パネル１２０に表示されているか否かを判断する（ステップＳ４１）。濁点又は半濁点を付さない平仮名が表示パネル１２０に表示されていない場合には、処理フローを終了する。それに対し、濁点又は半濁点を付さない平仮名が表示パネル１２０に表示されている場合、操作判断部１３１は、濁点、半濁点、長音符及び句読点に関する情報の入力を検出したか否か判断する（ステップＳ４２）。図２のダイヤルキー１１０の場合、操作判断部１３１は、ステップＳ４２において「＊」のキーの押下があったか否かを判断する。
【００６２】
濁点、半濁点、長音符及び句読点に関する情報の入力を検出しないと判断した場合、処理フローを終了する。それに対し、濁点、半濁点、長音符及び句読点に関する情報の入力を検出したと判断した場合、操作判断部１３１は、当該情報の入力を検出した旨を入力文字確定部１３６に報告し、入力文字確定部１３６は、操作判断部１３１からの報告に応じて、長音符を入力文字の候補として選択する（ステップＳ４３）。この場合、入力文字確定部１３６は、表示パネル１２０に表示されている平仮名に濁点又は半濁点を付すことはないと判断し、濁点又は半濁点を入力文字の候補から除外する。
【００６３】
次に、操作判断部１３１は、押下されたキーが開放されたか否かを判断する（ステップＳ４４）。押下されたキーが開放されたと判断された場合、操作判断部１３１は、押下されたキーが開放された旨を入力文字確定部１３６に報告する。入力文字確定部１３６は、操作判断部１３１からの報告に応じて、押下されたキーが開放された時点で選択されていた長音符又は句読点を入力文字として確定し、表示制御部１３７は、入力文字として確定した長音符又は句読点を表示パネル１２０に表示させ（ステップＳ４５）、処理フローを終了する。
【００６４】
それに対し、押下されたキーが開放されていないと判断された場合、入力文字確定部１３６は、キーが押下されてから一定時間経過したか否かを判断する（ステップＳ４６）。一定時間経過していないと判断された場合、ステップＳ４４に戻る。それに対し、一定時間経過したと判断された場合、入力文字確定部１３６は、入力文字の候補の選択の切替を行い（ステップＳ４７）、ステップＳ４４に戻る。すなわち、ステップＳ４４〜Ｓ４７では、入力文字確定部１３６は、キーの押下から開放までの時間が第１の値未満である場合には、長音符を入力文字として確定し、キーの押下から開放までの時間が第１の値と第１の値より大きい第２の値との間である場合、句読点を入力文字として確定する。
【００６５】
図１１に示すフローチャートによれば、濁点又は半濁点を付さない平仮名を表示させた後に濁点、半濁点、長音符及び句読点の入力が操作判断部１３１によって検出されると、キーを押下している間に長音符及び句読点の間で入力文字の候補の選択を行い、押下されたキーが開放された時点で選択されていた長音符又は句読点を入力文字として確定している。このように長音符及び句読点の間で入力文字の候補の一意的な選択を行うことによって、ヘボン式ローマ字表記に対応する平仮名の入力が簡単になり、移動体通信端末における日本語の文字入力の操作性を向上することができる。
【００６６】
次に、本実施形態における処理の様子について図１２を参照して説明する。
図１２は、押下されたダイヤルキー１１０と表示パネル１２０での表示例を示す概念図である。
ここでは、一例として利用者が「仏法僧」という文字を表示させる場合について説明する。
【００６７】
従来の移動体通信端末では、「仏法僧」を平仮名表記した「ぶっぽうそう」を表示させるために、先ず、「ふ」を表示させなければならず、さらに、当該「ふ」が訓令式のローマ字表記において、「ＨＵ」であることを考慮して、「Ｈ」を表示させなければならない。したがって、図１２Ａに示すように、ダイヤルキー１１０の「２」を押下して、ダイヤルキー１１０の「２」に割り当てられた「Ｈ」を表示パネル１２０に表示させる。なお、ダイヤルキー１１０の「２」に割り当てられた「Ｅ」は、携帯電話機１００が「Ａ」に関する情報を保持していない状態においては機能しないため、「Ｈ」を表示させることが一意に決定する。
【００６８】
次いで、「Ｕ」を表示させるために、ダイヤルキー１１０の「８」を押下する。これにより、「Ｈ」と「Ｕ」が組み合わされて、表示パネル１２０には「ふ」が表示される。尚、「Ｈ」が表示された状態において、ダイヤルキー１１０の「８」に割り当てられた「Ｔ」は、「Ｈ」に関する情報の後には、ローマ字として成立しないため機能せず、「Ｕ」を表示させることが一意に決定される。
【００６９】
その後、平仮名「ぶっぽうそう」を表示するために、ダイヤルキー１１０の「１」〜「９」及び「０」のいずれかの押下以外に、「ふ」に濁点を付すためにダイヤルキー１１０の「＃」を押下し、「っ」を表示するためにダイヤルキー１１０の「＊」を押下する必要がある。平仮名「ぶっぽうそう」が表示パネル１２０に表示されると、変換キー１１３及び確定キー１１４を順に押下して、表示パネル１２０に漢字「仏法僧」を表示させる。
【００７０】
したがって、拗音や促音を入力するためのモード切替を行い又は濁点や半濁点を付すために「＃」や「＊」を押下する必要がある。このように「１」〜「９」及び「０」の他に「＃」や「＊」を押下することは、日本語の文字入力の操作性の向上の妨げとなっている。
【００７１】
それに対し、本発明による移動体通信端末では、「仏法僧」を平仮名表記した「ぶっぽうそう」を表示させるためには、図１２Ｂに示すように、ダイヤルキー１１０の「１」を長押しし、「Ｂ」を入力文字として確定するために表示パネル１２０に表示された時点で「１」を開放し、その後に「８」を押下すると、図９のフローチャートに従って「Ｕ」が入力文字の最初の候補として選択される。「Ｕ」が入力文字として確定されると、「ぶ」が表示パネル１２０に表示される。
【００７２】
次いで、「６」を長押しし、「Ｐ」を入力文字として確定するために表示パネル１２０に表示された時点で「６」を開放する動作を２回繰り返し、その後に「６」を押下すると、図９のフローチャートに従って「Ｏ」が入力文字の最初の候補として選択される。「Ｏ」が入力文字として確定されると、「ぶっぽ」が表示パネル１２０に表示される。
【００７３】
その後、平仮名「ぶっぽうそう」を表示するために、ダイヤルキー１１０の「１」〜「９」及び「０」のいずれかの押下のみを行えばよく、「ふ」に濁点を付すためにダイヤルキー１１０の「＃」を押下し、「っ」を表示するためにダイヤルキー１１０の「＊」を押下する必要がない。平仮名「ぶっぽうそう」が表示パネル１２０に表示されると、変換キー１１３及び確定キー１１４を順に押下して、表示パネル１２０に漢字「仏法僧」を表示させる。
【００７４】
したがって、拗音や促音を入力するためのモード切替を行い又は濁点や半濁点を付すために「＃」や「＊」を押下する必要がないので、移動体通信端末における日本語の文字入力の操作性を向上することができる。
【００７５】
本発明は、上記実施の形態に限定されるものではなく、幾多の変更及び変形が可能である。例えば、ダイヤルキー１１０に対するアルファベットを「１」〜「９」及び「０」にかけて昇順に割り当てた場合について説明したが、このような割当てに限定されず、第１のアルファベットが互いに重ならず、第２のアルファベットが互いに重ならず、Ｎが第１のアルファベットに重ならず、かつ、Ａが第２のアルファベットに重ならない限りにおいては、種々の割当ての変更が可能である。
【００７６】
また、キーの長押しと短押しを区別する方法として、キーが押下されている間に短パルス（例えば、１００ｍｓの時間幅の矩形波）をキーから操作判断部１３１に出力するハードウェア構造を採用し、短パルスのパルス数をカウンタ等によって計測し、当該パルス数が一定数を超えない場合には「短押し」である旨を操作判断部１３１から表示制御部１３６に報告し、当該パルス数が一定数以上である場合には「長押し」である旨を操作判断部１３１から表示制御部１３６に報告する方法がある。
【００７７】
さらに、第１の操作をキーの押下とし、第２の操作をキーの開放とした場合、すなわち、入力文字の候補を選択するためにキーの長押しと短押しを用いた場合について説明したが、例えば、第１の操作及び第２の操作をキーの押下及び開放とすることもできる。すなわち、同一キーの短押しを所定の時間内に連続的に行うことによって入力文字の候補を選択することもできる。
【符号の説明】
【００７８】
１００    携帯電話機
１１０    ダイヤルキー
１１１    発信キー
１１２    送信キー
１１３    変換キー
１１４    確定キー
１２０    表示パネル
１３０    制御装置
１３０ａ    ＣＰＵ
１３０ｂ    ＲＡＭ
１３０ｃ    ＲＯＭ
１３０ｄ    Ｉ／Ｆ
１３０ｅ    バス
１３１    操作判断部
１３２    かな変換部
１３３    変換テーブル記憶部
１３４    漢字変換部
１３５    日本語辞書記憶部
１３６    入力文字確定部
１３７    表示制御部
【図１】
2011081545.tif 000003
【図２】
2011081545.tif 000004
【図３】
2011081545.tif 000005
【図４】
2011081545.tif 000006
【図５】
2011081545.tif 000007
【図６】
2011081545.tif 000008
【図７】
2011081545.tif 000009
【図８】
2011081545.tif 000010
【図９】
2011081545.tif 000011
【図１０】
2011081545.tif 000012
【図１１】
2011081545.tif 000013
【図１２】
2011081545.tif 000014